(57)【要約】  本発明は、無線通信システムにおいて、周波数ホッピングを介してアップリンク伝送を実行するための方法を提供する。  より具体的には、端末によって実行される前記方法は、ＵＬ（uplink）−ＤＬ（downlink）の設定（configuration）情報を基地局から受信するステップと、前記ＵＬ−ＤＬ設定情報に基づいて、１つのスロット（slot）内で、少なくとも２回繰り返されるノン−スロット（non-slot）に上で各ノン−スロットごとに周波数ホッピングを介してアップリンク伝送を実行するステップを含むが、前記ノン−スロット（non-slot）は、前記１つのスロットより小さい時間区間を有するスケジューリング単位（scheduling unit）であることを特徴とする。
2021514581.tif 000002
【特許請求の範囲】
【請求項１】
無線通信システムで端末によって周波数ホッピングを介してアップリンク伝送を実行するための方法であって、
ＵＬ（uplink）-ＤＬ（downlink）の設定（configuration）情報を基地局から受信するステップと、
前記ＵＬ−ＤＬ設定情報に基づいて、１つのスロット（slot）内で、少なくとも２回繰り返されるノン−スロット（non-slot）上で各ノン−スロット別に周波数ホッピングを介してアップリンク伝送を実行するステップを含んでなり、
前記ノン−スロット（non-slot）は、前記１つのスロットより小さい時間区間を有するスケジューリング単位（scheduling unit）であることを特徴とする、方法。
【請求項２】
前記ＵＬ−ＤＬ設定情報に基づいて前記少なくとも２回繰り返されるノン−スロットの内、特定のノン−スロットが利用可能でない場合、前記特定のノン−スロットに関する周波数ホッピングは、次の繰り返されるノン−スロットに適用されることを特徴とする、請求項１に記載の方法。
【請求項３】
前記ノン−スロットのスケジューリング単位は、前記スケジューリング単位に含まれるシンボルの数又はサブキャリア間隔（subcarrier spacing）の内、少なくとも一つに基づいて設定されることを特徴とする、請求項１に記載の方法。
【請求項４】
前記ノン−スロットはＵＲＬＬＣ（ultra reliable and low latency communication）、非免許帯域（unlicensed band）又はミリ波（millimeter wave）のために用いられることを特徴とする、請求項１に記載の方法。
【請求項５】
前記ノン−スロットに関する周波数ホッピングによってアップリンク伝送のための資源がＢＷＰ（bandwidth part）に含まれていない場合、前記ＢＷＰに含まれていない資源は、所定RB（resource block）のオフセットだけ移動され、又は、前記アップリンク伝送に使用されていないことを特徴とする、請求項１に記載の方法。
【請求項６】
前記ＢＷＰに含まれていない資源の所定ＲＢ（resource block）のオフセットだけ移動は、前記アップリンク伝送のために設定された波形（waveform）の種類に応じて決定されることを特徴とする、請求項５に記載の方法。
【請求項７】
前記波形はＣＰ（cyclic prefix）−ＯＦＤＭ（orthogonal frequency division multiplexing）又はＤＦＴ−ｓ−ＯＦＤＭ（discrete Fourier transform spread ＯＦＤＭ）であることを特徴とする、請求項６に記載の方法。
【請求項８】
前記波形がＣＰ−ＯＦＤＭの場合には、前記BWPに含まれていない資源を所定RB（resource block）のオフセットだけ移動することを特徴とする、請求項７に記載の方法。
【請求項９】
無線通信システムにおいて、周波数ホッピングを介してアップリンク伝送を実行するための端末であって、
無線信号を伝送するための伝送機（transmitter）と、
前記無線信号を受信するための受信機（receiver）と、
前記伝送機及び受信機と機能的に接続されているプロセッサと、を備えてなり、
前記プロセッサは、
ＵＬ（uplink）−ＤＬ（downlink）の設定（configuration）情報を基地局から受信し、
前記ＵＬ−ＤＬ設定情報に基づいて、１つのスロット（slot）内で、少なくとも２回繰り返されるノン−スロット（non-slot）上で各ノン−スロット別に周波数ホッピングを介してアップリンク伝送を実行するように制御し、
前記ノン−スロット（non-slot）は、前記いずれかのスロットより小さい時間区間を有するスケジューリング単位（scheduling unit）であることを特徴とする、端末。
【請求項１０】
前記プロセッサは、
前記ＵＬ−ＤＬ設定情報に基づいて前記少なくとも２回繰り返されるノン−スロットの内、特定のノン−スロットが利用可能でない場合は、前記特定のノン−スロットに関する周波数ホッピングを次の繰り返されるノン−スロットに適用するように制御することを特徴とする、請求項９に記載の端末。
【請求項１１】
前記ノン−スロットのスケジューリング単位は、前記スケジューリング単位に含まれるシンボルの数またはサブキャリア間隔（subcarrier spacing）の内、少なくとも一つに基づいて設定されることを特徴とする、請求項９に記載の端末。
【請求項１２】
前記ノン−スロットはＵＲＬＬＣ（ultra reliable and low latency communication）、非免許帯域（unlicensed band）又はミリ波（millimeter wave）のために用いられることを特徴とする、請求項９に記載の端末。
【請求項１３】
前記プロセッサは、
前記ノン−スロットに関する周波数ホッピングによってアップリンク伝送のための資源がＢＷＰ（bandwidth part）に含まれていない場合、前記ＢＷＰに含まれていない資源を所定ＲＢ（resource block）のオフセットだけ移動するか、又は前記アップリンク伝送に用いられないように制御することを特徴とする、請求項９に記載の端末。
【請求項１４】
前記ＢＷＰに含まれない資源の所定ＲＢ（resource block）のオフセットだけ移動は、前記アップリンク伝送のために設定された波形（waveform）の種類に応じて決定されることを特徴とする、請求項１３に記載の端末。
【請求項１５】
前記プロセッサは、
前記波形がＣＰ−ＯＦＤＭの場合、前記ＢＷＰに含まれない資源を所定ＲＢ（resource block）のオフセットだけ移動するように制御することを特徴とする、請求項１４に記載の端末。
【発明の詳細な説明】
【技術分野】
【０００１】
本明細書は、無線通信システムに関し、より詳細に周波数ホッピング（frequency hopping）を介してアップリンク伝送を実行するための方法及びこれを支援する装置に関する。
【背景技術】
【０００２】
移動通信システムは、ユーザの活動性を保証しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代の移動通信システムの要求条件は大きく、爆発的なデータトラフィックの収容、ユーザ当たりの伝送率の画期的な増加、大幅増加した連結デバイス数の収容、非常に低い端対端遅延（Ｅｎｄ−ｔｏ−Ｅｎｄ  Ｌａｔｅｎｃｙ）、高エネルギー効率を支援できなければならない。そのために、二重連結性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ-ｂａｎｄ  Ｆｕｌｌ  Ｄｕｐｌｅｘ）、非直交多重接続（ＮＯＭＡ：Ｎｏｎ-Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）など、多様な技術が研究されている。
【発明の概要】
【発明が解決しようとする課題】
【０００４】
本明細書は、端末が、さまざまな時間の長さの時間/周波数資源を用いてアップリンク伝送時に割り当てられた資源に応じた効率的な周波数ホッピング方法を提供することに目的がある。
【０００５】
より具体的に、本明細書ではＵＲＬＬＣなどに用いられるnon-slotベーススケジューリングの周波数ホッピングを適用する方法を提供することに目的がある。
【０００６】
また、本明細書は、non-slotごとに繰り返される周波数ホッピングにおける特定のnon-slotが利用可能でない場合、特定のnon-slotの周波数ホッピングを遅らせたり、または適用しない方法を提供することに目的がある。
【０００７】
本発明において解決しようとする技術的課題は、以上で言及した技術的課題に限定されず、言及していないまた異なる技術的課題は、下の記載から、本発明が属する技術分野で通常の知識を有する者に明確に理解されることができる。
【課題を解決するための手段】
【０００８】
本明細書は、無線通信システムにおいて端末によって周波数ホッピングを介してアップリンク伝送を実行するための方法を提供する。
【０００９】
より具体的に、前記方法は、ＵＬ（uplink-DL（downlink）の設定（configuration）情報を基地局から受信するステップと、前記ＵＬ−ＤＬ設定情報に基づいて、１つのスロット（slot）内で、少なくとも２回繰り返されるノン−スロット（non-slot）上で各ノン−スロット別に周波数ホッピングを介してアップリンク伝送を実行するステップを含むが、前記ノン−スロット（non-slot）は、前記１つのスロットより小さい時間区間を有するスケジューリング単位（scheduling unit）であることを特徴とする。
【００１０】
また、本明細書において、前記ＵＬ−ＤＬ設定情報に基づいて前記少なくとも２回繰り返されるノン−スロットの内、特定のノン−スロットが利用可能でない場合、前記特定のノン−スロットに関する周波数ホッピングは、次の繰り返されるノン−スロットに適用されることを特徴とする。
【００１１】
また、本明細書において、前記ノン−スロットのスケジューリング単位は、前記スケジューリング単位に含まれるシンボルの数またはサブキャリア間隔（subcarrier spacing）の内、少なくとも一つに基づいて設定されることを特徴とする。
【００１２】
また、本明細書において、前記ノン−スロットはＵＲＬＬＣ（ultra reliable and low latency communication）、非免許帯域（unlicensed band）またはミリ波（millimeter wave）のために用いられることを特徴とする。
【００１３】
また、本明細書において、前記ノン−スロットに関する周波数ホッピングによってアップリンク伝送のための資源がＢＷＰ（bandwidth part）に含まれない場合、前記ＢＷＰに含まれない資源は、所定ＲＢ（resource block）のオフセットだけ移動されるか、または前記アップリンク伝送に使用されないことを特徴とする。
【００１４】
また、本明細書において、前記ＢＷＰに含まれない資源の所定ＲＢ（resource block）のオフセットだけ移動は、前記アップリンク伝送のために設定された波形（waveform）の種類に応じて決定されることを特徴とする。
【００１５】
また、本明細書において、前記波形はＣＰ（cyclic prefix）-ＯＦＤＭ（orthogonal frequency division multiplexing）またはＤＦＴ−ｓ−ＯＦＤＭ（discrete Fourier transform spread ＯＦＤＭ）であることを特徴とする。
【００１６】
また、本明細書において、前記波形がＣＰ−ＯＦＤＭの場合、前記ＢＷＰに含まれない資源を所定ＲＢ（resource block）のオフセットだけ移動することを特徴とする。
【００１７】
また、本明細書は、無線通信システムで、周波数ホッピングを介してアップリンク伝送を実行するための端末において、無線信号を伝送するための伝送機（transmitter）と前記無線信号を受信するための受信機（receiver）と、前記伝送機と受信機と機能的に接続されているプロセッサを含み、前記プロセッサは、ＵＬ規格（uplink）−ＤＬ（downlink）の設定（configuration）情報を基地局から受信し、前記ＵＬ−ＤＬ設定情報に基づいて、１つのスロット（slot）内で、少なくとも２回繰り返されるノン−スロット（non-slot）上で各ノン−スロット別に周波数ホッピングを介してアップリンク伝送を実行するように制御するが、前記ノン−スロット（non-slot）は、前記１つのスロットより小さい時間区間を有するスケジューリング単位（scheduling unit）であることを特徴とする。
【００１８】
また、本明細書において、前記プロセッサは、前記ＵＬ−ＤＬ設定情報に基づいて前記少なくとも２回繰り返されるノン−スロットの内、特定ノン−スロットが利用可能でない場合、前記特定のノン−スロットに関する周波数ホッピングを次に繰り返されるノン−スロットに適用するように制御することを特徴とする。
【００１９】
また、本明細書において、前記プロセッサは、前記ノン−スロットに関する周波数ホッピングによってアップリンク伝送のための資源がＢＷＰ（bandwidth part）に含まれない場合、前記ＢＷＰに含まれない資源を所定ＲＢ（resource block ）オフセットだけ移動するか、または前記アップリンク伝送に用いられないように制御することを特徴とする。
【００２０】
また、本明細書において、前記プロセッサは、前記波形がＣＰ−ＯＦＤＭの場合には、前記ＢＷＰに含まれない資源を所定ＲＢ（resource block）のオフセットだけ移動するように制御することを特徴とする。
【発明の効果】
【００２１】
本明細書は、次世代無線システムにおいて端末が多様な時間の長さの無線資源を割り当てられる場合でも、資源の有用性（resource utilization）を減少させず、周波数ホッピングを適用することができる。
【００２２】
また、本明細書は、周波数ホッピングオフセットが制限的にのみ適用されることができる状況において、より柔軟に周波数ホッピングを適用することができる。
【００２３】
また、端末が、ランダムアクセスを実行する過程で、周波数ホッピングを実行するにあたり、基地局の意図と異なる動作をすることを防止することができる。
【００２４】
本発明で得られる効果は、以上で言及した効果に制限されず、言及していないもう一つの効果は以下の記載から、本発明が属する技術分野で通常の知識を有する者に明確に理解される。
【図面の簡単な説明】
【００２５】
本発明に関する理解を助けるために詳細な説明の一部に含まれる添付図面は本発明に対する実施形態を提供し、詳細な説明と共に本発明の技術的特徴を説明する。
【００２６】
【図１】本明細書で提案する方法が適用できるＮＲの全体的なシステム構造の一例を示す。
【図２】本明細書で提案する方法が適用できる無線通信システムにおけるアップリンクフレームとダウンリンクフレームとの間の関係を示す。
【図３】ＮＲシステムにおけるフレーム構造の一例を示す。
【図４】本明細書で提案する方法が適用できる無線通信システムで支援する資源グリッド（ｒｅｓｏｕｒｃｅ  ｇｒｉｄ）の一例を示す。
【図５】本明細書で提案する方法が適用できるアンテナポート及びヌメロロジー別資源グリッドの例を示す。
【図６】本明細書で提案する方法が適用できるｓｅｌｆ−ｃｏｎｔａｉｎｅｄ構造の一例を示す。
【図７】本明細書で提案するノン−スロットスケジューリングを通じたアップリンク伝送の周波数ホッピング方法の一例を示した図である。
【図８】本明細書で提案する半‐静的オフセットを有する周波数ホッピングの場合、アップリンク伝送方法の一例を示した図である。
【図９】本明細書で提案する半‐静的オフセットを有する周波数ホッピングの場合、アップリンク伝送方法のまた異なる一例を示した図である。
【図１０】本明細書で提案する方法を実行するための端末の動作を示すフローチャートである。
【図１１】本明細書で提案する方法を実行するための基地局の動作を示すフローチャートである。
【図１２】本明細書で提案する方法が適用される無線通信装置のブロック構成図を例示する。
【図１３】本明細書で提案する方法が適用される無線通信装置のブロック構成図のまた異なる例示である。
【発明を実施するための形態】
【００２７】
以下、本発明に係る好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は、本発明がこのような具体的な細部事項がなくとも実施できるということが分かる。
【００２８】
幾つかの場合、本発明の概念が曖昧になることを避けるために公知の構造及び装置は省略されるか、または各構造及び装置の中核機能を中心としたブロック図の形式で示されることができる。
【００２９】
本明細書において、基地局は、端末と直接的に通信を行うネットワークの終端ノード（ｔｅｒｍｉｎａｌ  ｎｏｄｅ）としての意味を有する。本文書において基地局により行われると説明された特定の動作は、場合によっては、基地局の上位ノード（ｕｐｐｅｒ  ｎｏｄｅ）により行われてもよい。すなわち、基地局を含む複数のネットワークノード（ｎｅｔｗｏｒｋ  ｎｏｄｅｓ）からなるネットワークにおいて端末との通信のために行われる多様な動作は、基地局または基地局以外の他のネットワークノードにより行われ得ることは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅｔｒａｎｓｃｅｉｖｅｒ  ｓｙｓｔｅｍ）、アクセスポイント（ＡＰ：Ａｃｃｅｓｓ  Ｐｏｉｎｔ）、ｇＮＢ（ｇｅｎｅｒａｌ  ＮＢ）などの用語により代替され得る。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替され得る。
【００３０】
以下で、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクにおける伝送機は基地局の一部であり、受信機は端末の一部であり得る。アップリンクにおける伝送機は端末の一部であり、受信機は基地局の一部であり得る。
【００３１】
以下の説明で使われる特定用語は本発明の理解を助けるために提供されたものであり、このような特定用語の使用は本発明の技術的思想を外れない範囲で異なる形態に変更され得る。
【００３２】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ-ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌｍｕｌｔｉｐｌｅ  ａｃｃｅｓｓ）などの多様な無線アクセスシステムに利用できる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現できる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ-ＵＴＲＡ（ｅｖｏｌｖｅｄ  ＵＴＲＡ）などの無線技術で具現できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ-ＵＴＲＡを用いるＥ−ＵＭＴＳ（ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（ａｄｖａｎｃｅｄ）は３ＧＰＰ  ＬＴＥの進化である。
【００３３】
本発明の実施形態は、無線アクセスシステムであるＩＥＥＥ  ８０２、３ＧＰＰ及び３ＧＰＰ２の少なくとも１つに開示された標準文書によって裏付けられることができる。即ち、本発明の実施形態のうち、本発明の技術的思想を明確に示すために、説明しない段階又は部分は前記文書によって裏付けられることができる。また、本文書で開示している全ての用語は、前記標準文書によって説明されることができる。
【００３４】
説明を明確にするために、３ＧＰＰ  ＬＴＥ／ＬＴＥ−Ａ／ＮＲ（Ｎｅｗ  Ｒａｄｉｏ）を中心に記述するが、本発明の技術的特徴がこれに制限されるわけではない。
【００３５】
スマートフォン（ｓｍａｒｔｐｈｏｎｅ）及びＩｏＴ（Ｉｎｔｅｒｎｅｔ  Ｏｆ  Ｔｈｉｎｇｓ）端末の普及が速く拡散されるにつれて、通信網を通じてやりとりする情報の量が増加している。これによって、次世代の無線接続技術では既存の通信システム（または、既存の無線接続技術（ｒａｄｉｏ  ａｃｃｅｓｓ  ｔｅｃｈｎｏｌｏｇｙ））より多いユーザに一層速いサービスを提供する環境（例：向上した移動広帯域通信（ｅｎｈａｎｃｅｄ  ｍｏｂｉｌｅ  ｂｒｏａｄｂａｎｄ  ｃｏｍｍｕｎｉｃａｔｉｏｎ））が考慮される必要がある。
【００３６】
このために、多数の機器及び事物（ｏｂｊｅｃｔ）を連結してサービスを提供するＭＴＣ（Ｍａｃｈｉｎｅ  Ｔｙｐｅ  Ｃｏｍｍｕｎｉｃａｔｉｏｎ）を考慮する通信システムのデザインが論議されている。また、通信の信頼性（ｒｅｌｉａｂｉｌｉｔｙ）及び／又は遅延（ｌａｔｅｎｃｙ）に敏感なサービス（ｓｅｒｖｉｃｅ）及び／又は端末（ｔｅｒｍｉｎａｌ）などを考慮する通信システム（例：ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）のデザインも議論されている。
【００３７】
以下、本明細書で、説明の便宜のために、前記次世代の無線接続技術はＮＲ（Ｎｅｗ  ＲＡＴ、Ｒａｄｉｏ  Ａｃｃｅｓｓ  Ｔｅｃｈｎｏｌｏｇｙ）と称され、前記ＮＲが適用される無線通信システムはＮＲシステムと称される。
【００３８】
用語の定義
【００３９】
ｅＬＴＥ  ｅＮＢ：ｅＬＴＥ  ｅＮＢは、ＥＰＣ及びＮＧＣに対する連結を支援するｅＮＢの進化（ｅｖｏｌｕｔｉｏｎ）である。
【００４０】
ｇＮＢ：ＮＧＣとの連結だけでなく、ＮＲを支援するノード。
【００４１】
新しいＲＡＮ：ＮＲ又はＥ−ＵＴＲＡを支援するか、ＮＧＣと相互作用する無線アクセスネットワーク。
【００４２】
ネットワークスライス（ｎｅｔｗｏｒｋ  ｓｌｉｃｅ）：ネットワークスライスは、終端間の範囲と共に特定の要求事項を要求する特定の市場シナリオに対して最適化されたソリューションを提供するようにオペレータによって定義されたネットワーク。
【００４３】
ネットワーク機能（ｎｅｔｗｏｒｋ  ｆｕｎｃｔｉｏｎ）：ネットワーク機能は、よく定義された外部のインターフェースと、よく定義された機能的動作を有するネットワークインフラ内での論理的ノード。
【００４４】
ＮＧ−Ｃ：新しいＲＡＮとＮＧＣ間のＮＧ２リファレンスポイント（ｒｅｆｅｒｅｎｃｅ  ｐｏｉｎｔ）に用いられるコントロールプレーンインターフェース。
【００４５】
ＮＧ−Ｕ：新しいＲＡＮとＮＧＣ間のＮＧ３リファレンスポイント（ｒｅｆｅｒｅｎｃｅ  ｐｏｉｎｔ）に用いられるユーザプレーンインターフェース。
【００４６】
非独立型（Ｎｏｎ−ｓｔａｎｄａｌｏｎｅ）ＮＲ：ｇＮＢがＬＴＥ  ｅＮＢをＥＰＣにコントロールプレーンの連結のためのアンカーとして要求するか、又はｅＬＴＥ  ｅＮＢをＮＧＣにコントロールプレーンの連結のためのアンカーとして要求する配置構成。
【００４７】
非独立型Ｅ−ＵＴＲＡ：ｅＬＴＥ  ｅＮＢがＮＧＣにコントロールプレーンの連結のためのアンカーとしてｇＮＢを要求する配置構成。
【００４８】
ユーザプレーンゲートウェイ：ＮＧ−Ｕインターフェースの終端点。
【００４９】
システム一般
【００５０】
図１は、本明細書で提案する方法が適用できるＮＲの全体的なシステム構造の一例を示した図である。
【００５１】
図１を参照すると、ＮＧ-ＲＡＮはＮＧ−ＲＡユーザプレーン（新しいＡＳ  ｓｕｂｌａｙｅｒ／ＰＤＣＰ／ＲＬＣ／ＭＡＣ／ＰＨＹ）及びＵＥ（Ｕｓｅｒ  Ｅｑｕｉｐｍｅｎｔ）に対するコントロールプレーン（ＲＲＣ）プロトコル終端を提供するｇＮＢで構成される。
【００５２】
前記ｇＮＢは、Ｘｎインターフェースを介して相互連結される。
【００５３】
前記ｇＮＢは、また、ＮＧインターフェースを介してＮＧＣに連結される。
【００５４】
より具体的には、前記ｇＮＢはＮ２インターフェースを介してＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）に、Ｎ３インターフェースを介してＵＰＦ（Ｕｓｅｒ  Ｐｌａｎｅ  Ｆｕｎｃｔｉｏｎ）に連結される。
【００５５】
ＮＲ（Ｎｅｗ  Ｒａｔ）ヌメロロジー（Ｎｕｍｅｒｏｌｏｇｙ）及びフレーム（ｆｒａｍｅ）構造
【００５６】
ＮＲシステムでは、多数のヌメロロジー（ｎｕｍｅｒｏｌｏｇｙ）が支援できる。ここで、ヌメロロジーはサブキャリア間隔（ｓｕｂｃａｒｒｉｅｒ  ｓｐａｃｉｎｇ）とＣＰ（Ｃｙｃｌｉｃ  Ｐｒｅｆｉｘ）のオーバーヘッドにより定義されることができる。このとき、多数のサブキャリア間隔は基本サブキャリア間隔を整数Ｎ（または、μ）にスケーリング（ｓｃａｌｉｎｇ）することにより誘導できる。また、非常に高い搬送波周波数で非常に低いサブキャリア間隔を用いないと仮定されても、用いられるヌメロロジーは周波数帯域と独立に選択されることができる。
【００５７】
また、ＮＲシステムでは多数のヌメロロジーに従う多様なフレーム構造が支援されることができる。
【００５８】
以下、ＮＲシステムで考慮されることができるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）ヌメロロジー及びフレーム構造を見る。
【００５９】
ＮＲシステムで支援される多数のＯＦＤＭヌメロロジーは、表１のように定義されることができる。
【００６０】
【表１】
2021514581.tif 000003
【００６１】
【表２】
2021514581.tif 000004
【００６２】
図２は、本明細書で提案する方法が適用できる無線通信システムにおけるアップリンクフレームとダウンリンクフレームとの間の関係を示す。
【００６３】
図２に示すように、端末（Ｕｓｅｒ  Ｅｑｕｉｐｍｅｎｔ、ＵＥ）からのアップリンクフレーム番号ｉの伝送は、該当端末での該当ダウンリンクフレームの開始よりTTA＝NTATS以前に開始しなければならない。
【００６４】
【表３】
2021514581.tif 000005
【００６５】
全ての端末が同時に伝送及び受信できるものではなく、これはダウンリンクスロット（ｄｏｗｎｌｉｎｋ  ｓｌｏｔ）又はアップリンクスロット（ｕｐｌｉｎｋ  ｓｌｏｔ）の全てのＯＦＤＭシンボルが用いられることはできないということを意味する。
【００６６】
【表４】
2021514581.tif 000006
【００６７】
【表５】
2021514581.tif 000007
【００６８】
【表６】
2021514581.tif 000008
【００６９】
図３は、ＮＲシステムでのフレーム構造の一例を示す。図３は、単に説明の便宜のためのものであり、本発明の範囲を制限するのではない。
【００７０】
表３の場合、μ＝２の場合、即ちサブキャリア間隔（ｓｕｂｃａｒｒｉｅｒ  ｓｐａｃｉｎｇ、ＳＣＳ）が６０ｋＨｚである場合の一例であって、表２を参考すると、１サブフレーム（または、フレーム）は４個のスロットを含むことができ、図３に図示された１サブフレーム＝｛１、２、４｝スロットは一例であって、１サブフレームに含まれることができるスロットの個数は表２のように定義できる。
【００７１】
また、ミニ−スロット（ｍｉｎｉ−ｓｌｏｔ）は２、４、または７シンボル（ｓｙｍｂｏｌ）で構成されることもでき、より多いか、またはより少ないシンボルで構成されることもできる。
【００７２】
ＮＲシステムでの物理資源（ｐｈｙｓｉｃａｌ  ｒｅｓｏｕｒｃｅ）と関連して、アンテナポート（ａｎｔｅｎｎａ  ｐｏｒｔ）、資源グリッド（ｒｅｓｏｕｒｃｅ  ｇｒｉｄ）、資源要素（ｒｅｓｏｕｒｃｅ  ｅｌｅｍｅｎｔ）、資源ブロック（ｒｅｓｏｕｒｃｅ  ｂｌｏｃｋ）、キャリアパート（ｃａｒｒｉｅｒ  ｐａｒｔ）などが考慮できる。
【００７３】
以下、ＮＲシステムで考慮できる前記物理資源に対して具体的に説明する。
【００７４】
まず、アンテナポートと関連して、アンテナポートはアンテナポート上のシンボルが運搬されるチャンネルが同一なアンテナポート上の他のシンボルが運搬されるチャンネルから推論できるように定義される。１つのアンテナポート上のシンボルが運搬されるチャンネルの広範囲特性（ｌａｒｇｅ−ｓｃａｌｅ  ｐｒｏｐｅｒｔｙ）が他のアンテナポート上のシンボルが運搬されるチャンネルから類推できる場合、２つのアンテナポートはＱＣ／ＱＣＬ（ｑｕａｓｉ  ｃｏ−ｌｏｃａｔｅｄまたはｑｕａｓｉ  ｃｏ−ｌｏｃａｔｉｏｎ）関係にあるということができる。ここで、前記広範囲特性は遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）のうち、１つ以上を含む。
【００７５】
図４は、本明細書で提案する方法が適用できる無線通信システムで支援する資源グリッド（ｒｅｓｏｕｒｃｅ  ｇｒｉｄ）の一例を示す。
【００７６】
【表７】
2021514581.tif 000009
【００７７】
この場合、図５のように、ヌメロロジーμ及びアンテナポートｐ別に１つの資源グリッドが設定できる。
【００７８】
図５は、本明細書で提案する方法が適用できるアンテナポート及びヌメロロジー別資源グリッドの例を示す。
【００７９】
【表８】
2021514581.tif 000010
【００８０】
Ｐｏｉｎｔ  Ａは資源ブロックグリッドの共通参照地点（ｃｏｍｍｏｎ  ｒｅｆｅｒｅｎｃｅ  ｐｏｉｎｔ）として役割をし、次の通り獲得できる。
【００８１】
−  ＰＣｅｌｌダウンリンクに対するｏｆｆｓｅｔＴｏＰｏｉｎｔＡは初期セル選択のためにＵＥにより使われたＳＳ／ＰＢＣＨブロックと重なる最も低い資源ブロックの最も低いサブキャリアとｐｏｉｎｔ  Ａ間の周波数オフセットを示し、ＦＲ１に対して１５ｋＨｚサブキャリア間隔及びＦＲ２に対して６０ｋＨｚサブキャリア間隔を仮定した資源ブロック単位（ｕｎｉｔ）で表現され；
【００８２】
−  ａｂｓｏｌｕｔｅＦｒｅｑｕｅｎｃｙＰｏｉｎｔＡは、ＡＲＦＣＮ（ａｂｓｏｌｕｔｅ  ｒａｄｉｏ−ｆｒｅｑｕｅｎｃｙ  ｃｈａｎｎｅｌ  ｎｕｍｂｅｒ）のように表現されたｐｏｉｎｔ  Ａの周波数−位置を示す。
共通資源ブロック（ｃｏｍｍｏｎ  ｒｅｓｏｕｒｃｅ  ｂｌｏｃｋ）は、サブキャリア間隔設定μに対する周波数領域で０から上方にナンバリング（ｎｕｍｂｅｒｉｎｇ）される。
【００８３】
【表９】
2021514581.tif 000011
【００８４】
【数１】
2021514581.tif 000012
【００８５】
【数２】
2021514581.tif 000013
【００８６】
Ｓｅｌｆ−ｃｏｎｔａｉｎｅｄ構造
【００８７】
ＮＲシステムで考慮されるＴＤＤ（Ｔｉｍｅ  Ｄｉｖｉｓｉｏｎ  Ｄｕｐｌｅｘｉｎｇ）構造は、アップリンク（Ｕｐｌｉｎｋ、ＵＬ）とダウンリンク（Ｄｏｗｎｌｉｎｋ、ＤＬ）を１つのスロット（ｓｌｏｔ）（または、サブフレーム（ｓｕｂｆｒａｍｅ））で全て処理する構造である。これは、ＴＤＤシステムでデータ伝送の遅延（ｌａｔｅｎｃｙ）を最小化するためのものであり、前記構造はｓｅｌｆ−ｃｏｎｔａｉｎｅｄ構造またはｓｅｌｆ−ｃｏｎｔａｉｎｅｄスロットと称されることができる。
【００８８】
図６は、本明細書で提案する方法が適用できるｓｅｌｆ−ｃｏｎｔａｉｎｅｄ構造の一例を示す。図５は単に説明の便宜のためのものであり、本発明の範囲を制限するのではない。
【００８９】
図６を参考すると、ｌｅｇａｃｙ  ＬＴＥの場合のように、１つの伝送単位（例：スロット、サブフレーム）が１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）で 構成される場合が仮定される。
【００９０】
図６で、領域６０２はダウンリンク制御領域（ｄｏｗｎｌｉｎｋ  ｃｏｎｔｒｏｌ  ｒｅｇｉｏｎ）を意味し、領域６０４はアップリンク制御領域（ｕｐｌｉｎｋ  ｃｏｎｔｒｏｌ  ｒｅｇｉｏｎ）を意味する。また、領域６０２及び領域６０４の以外の領域（即ち、別途の表示のない領域）はダウンリンクデータ（ｄｏｗｎｌｉｎｋ  ｄａｔａ）またはアップリンクデータ（ｕｐｌｉｎｋ  ｄａｔａ）の伝送のために利用できる。
【００９１】
即ち、アップリンク制御情報（ｕｐｌｉｎｋ  ｃｏｎｔｒｏｌ  ｉｎｆｏｒｍａｔｉｏｎ）及びダウンリンク制御情報（ｄｏｗｎｌｉｎｋ  ｃｏｎｔｒｏｌ  ｉｎｆｏｒｍａｔｉｏｎ）は１つのｓｅｌｆ−ｃｏｎｔａｉｎｅｄスロットから伝送できる。一方、データ（ｄａｔａ）の場合、アップリンクデータまたはダウンリンクデータが１つのｓｅｌｆ−ｃｏｎｔａｉｎｅｄスロットから伝送できる。
【００９２】
図６に示した構造を用いる場合、１つのｓｅｌｆ−ｃｏｎｔａｉｎｅｄスロット内で、ダウンリンク伝送とアップリンク伝送が順次に進行され、ダウンリンクデータの伝送及びアップリンクＡＣＫ／ＮＡＣＫの受信が遂行できる。
【００９３】
結果的に、データ伝送のエラーが発生する場合、データの再伝送までかかる時間が減少できる。これを通じて、データ伝達と関連した遅延が最小化できる。
【００９４】
図６のようなｓｅｌｆ−ｃｏｎｔａｉｎｅｄスロット構造で、基地局（ｅＮｏｄｅＢ、ｅＮＢ、ｇＮＢ）及び／又は端末（ｔｅｒｍｉｎａｌ、ＵＥ（Ｕｓｅｒ  Ｅｑｕｉｐｍｅｎｔ））が伝送モード（ｔｒａｎｓｍｉｓｓｉｏｎ  ｍｏｄｅ）から受信モード（ｒｅｃｅｐｔｉｏｎ  ｍｏｄｅ）に転換する過程、または受信モードから伝送モードに転換する過程のための時間ギャップ（ｔｉｍｅ  ｇａｐ）が要求される。前記時間ギャップと関連して、前記ｓｅｌｆ−ｃｏｎｔａｉｎｅｄスロットでダウンリンク伝送の以後にアップリンク伝送が遂行される場合、一部のＯＦＤＭシンボルが保護区間（Ｇｕａｒｄ  Ｐｅｒｉｏｄ、ＧＰ）に設定できる。
【００９５】
アナログビームフォーミング（ａｎａｌｏｇ  ｂｅａｍｆｏｒｍｉｎｇ）
【００９６】
ミリメートル波（ｍｍＷａｖｅ、ｍｍＷ）通信システムでは、信号の波長（ｗａｖｅ  ｌｅｎｇｔｈ）が短くなるにつれて、同一面積に多数の（または、多重の）（ｍｕｌｔｉｐｌｅ）アンテナを設置することができる。例えば、３０ＣＨｚ帯域で波長は約１ｃｍ位であり、２次元（２−ｄｉｍｅｎｓｉｏｎ）配列形態によって５ｃｍｘ５ｃｍのパネル（ｐａｎｅｌ）に０．５ラムダ（ｌａｍｂｄａ）間隔でアンテナを設置する場合、総１００個のアンテナ要素（ｅｌｅｍｅｎｔ）が設置できる。
【００９７】
したがって、ｍｍＷ通信システムでは、多数のアンテナ要素を用いてビームフォーミング（ｂｅａｍｆｏｒｍｉｎｇ、ＢＦ）利得を高めるにつれてカバレッジ（ｃｏｖｅｒａｇｅ）を増加させるか、または処理量（ｔｈｒｏｕｇｈｐｕｔ）を高める方案が考慮できる。
【００９８】
この際、アンテナ要素別に伝送パワー（ｔｒａｎｓｍｉｓｓｉｏｎ  ｐｏｗｅｒ）及び位相（ｐｈａｓｅ）調節可能にＴＸＲＵ（Ｔｒａｎｓｃｅｉｖｅｒ  Ｕｎｉｔ）が設置される場合、周波数資源（ｆｒｅｑｕｅｎｃｙ  ｒｅｓｏｕｒｃｅ）別に独立的なビームフォーミングが可能である。
【００９９】
但し、全てのアンテナ要素（例：１００個のアンテナ要素）にＴＸＲＵを設置する方案は価格面で実効性が落ちることがある。これによって、１つのＴＸＲＵに多数のアンテナ要素をマッピング（ｍａｐｐｉｎｇ）し、アナログ位相遷移器（ａｎａｌｏｇ  ｐｈａｓｅ  ｓｈｉｆｔｅｒ）を用いてビーム（ｂｅａｍ）の方向（ｄｉｒｅｃｔｉｏｎ）を制御する方式が考慮できる。
【０１００】
前述したようなアナログビームフォーミング方式は全帯域において１つのビーム方向のみが生成できるので、周波数選択的なビーム動作が遂行できないという問題が発生する。
【０１０１】
これによって、デジタルビームフォーミング（ｄｉｇｉｔａｌ  ｂｅａｍｆｏｒｍｉｎｇ）とアナログビームフォーミングの中間形態に、Ｑ個のアンテナ要素より少ない個数であるＢ個のＴＸＲＵを有するハイブリッドビームフォーミング（ｈｙｂｒｉｄ  ｂｅａｍｆｏｒｍｉｎｇ）が考慮できる。この場合、前記Ｂ個のＴＸＲＵとＱ個のアンテナ要素の連結方式によって差はあるが、同時に信号が伝送できるビームの方向はＢ個以下に制限できる。
【０１０２】
周波数ホッピング関連情報（information related to frequency hopping）
【０１０３】
Ｎｅｗ ＲＡＴにおいて、端末は、様々な伝送持続時間（transmission duration）を用いられる。
【０１０４】
基地局は、端末のためにさまざまな方法でスロット（slot）内のsymbolを用いるようにスケジューリング（scheduling）してくれることができる。
【０１０５】
このようなスケジュールされた資源（scheduled resource）、特に、上りリンクスケジュールされた資源（uplink scheduled resource）に周波数ホッピング（frequency hopping）が適用されることが考慮されることができる。
【０１０６】
各端末ごとに異なるホッピング境界（hopping boundary）を有する場合、多数の端末が資源（resource）を効率的に用いるようにschedulingすることは困難することがある。
【０１０７】
このような問題を解決するために、次のような方法（方法１、方法２）が用いられることができる。
【０１０８】
（方法１）
【０１０９】
方法１は、用いるｕｐｌｉｎｋ ｒｅｓｏｕｒｃｅのＤＭＲＳ（demodulation reference signal）など参照信号（reference signal）の位置がｓｌｏｔに基づいて定められる場合、ｈｏｐｐｉｎｇｂｏｕｎｄａｒｙまたｓｌｏｔに基づいた位置に決定されることで有り得る。
【０１１０】
たとえば、Ｎｅｗ ＲＡＴで端末がＰＵＳＣＨ ｍａｐｐｉｎｇ ｔｙｐｅ Ａを用いる場合、常に８番目ｓｙｍｂｏｌでＰＵＳＣＨはｆｒｅｑｕｅｎｃｙ ｈｏｐｐｉｎｇすることができる。
【０１１１】
（方法２）
【０１１２】
方法２は、用いるuplink resourceのＤＭＲＳなどreference signalの位置とは無関係にhopping boundaryがslotに基づいた位置で決定されるものである。
【０１１３】
たとえば、Ｎｅｗ ＲＡＴで端末がＰＵＳＣＨ mapping typeとは関係なく、常に８番目symbolでＰＵＳＣＨをfrequency hoppingして伝送することができる。
【０１１４】
前記記載から、ＰＵＳＣＨの周波数ホッピング境界はＰＵＣＣＨと同じ任意のＲＲＣパラメータなしで決定される。
【０１１５】
ＰＵＣＣＨ周波数ホッピングの場合には、ホッピング境界は時間資源の割り当てによって指定される。
【０１１６】
しかし、ＰＵＳＣＨの周波数ホッピングのためにＰＵＣＣＨと同じメカニズムを用いることは望ましくない。
【０１１７】
もしＰＵＳＣＨのホッピング境界が時間資源の割り当てに基づいて異なることがある場合、周波数ホッピングを有する多重ＰＵＳＣＨを資源グリッドに効率的に割り当てることは困難である。
【０１１８】
ＰＵＳＣＨは、ＰＵＣＣＨよりアップリンク資源でさらに多くの部分を占めるので、ＰＵＣＣＨの場合よりさらに重要な問題となる。従って、ＰＵＳＣＨのスロット境界に基づいてホッピング境界を決定することが望ましいことがある。
【０１１９】
ＰＵＳＣＨ ＤＭＲＳの位置がＰＵＳＣＨ mapping type Ａのスロット境界によって決定されることを考慮する場合、周波数ホッピングの境界は、少なくともＰＵＳＣＨ mapping type Ａのスロットの開始に対する相対的位置によって決定されることができる。
【０１２０】
少なくともＰＵＳＣＨ mapping type Ａに対し、ＰＵＳＣＨのホッピング境界は、スロットの開始の相対的な位置によって決定される。
【０１２１】
端末ＰＵＳＣＨの周波数ホッピング手順（ＵＥ ＰＵＳＣＨ frequency hopping procedure）
【０１２２】
資源の割り当てタイプ（resource allocation type）1の場合、transform precodingがＰＵＳＣＨ伝送のためにenabledされるかどうかにかかわらず、端末はＰＵＳＣＨの周波数ホッピングを行うことができ、そうでなければどのようなＰＵＳＣＨの周波数ホッピングが行われない。
【０１２３】
transform precoding及び周波数ホッピングがＰＵＳＣＨにenableされるとき、ＲＥ mappingは、次の順序で実行される：
【０１２４】
変調されたシンボルは、まずsubcarrierにマッピングされ、それから、周波数‐ホッピングでtransform precodedシンボルに、それから互いに異なるＰＲＢのsetを占有するfrequency hopにマッピングされる。
【０１２５】
端末が上位層のパラメータ（higher layer parameter）frequency-hopping-ＰＵＳＣＨにより設定される場合、二つのfrequency hoppingモードの内１つが設定されることができる：
【０１２６】
-Intra-slot frequency hopping、シングルスロット及びマルチ - スロットＰＵＳＣＨ伝送に適用することができる。
【０１２７】
-Inter-slot frequency hopping、マルチ-スロットＰＵＳＣＨ伝送に適用することができる。
【０１２８】
ＰＵＳＣH上でfrequency hoppingがenableされ、資源の割り当てタイプ１について、周波数オフセット（frequency offset）はhigher layer parameter Frequency-hopping-offset-setによって設定される：
【０１２９】
- アクティブ（active）ＢＷＰの大きさが50 ＰＲＢより小さい場合、２つの上位層によって設定されたオフセットの内、１つがＵＬ grantで指示されたとき。
【０１３０】
‐ アクティブＢＷＰのサイズが５０ ＰＲＢより大きい場合、４つの上位層によって設定されたオフセットの内１つがＵＬ grantで指示されたとき。
【０１３１】
各ホップにある間、開始（starting）ＲＢは、以下の数学式３によって定義される。
【０１３２】
【数３】
2021514581.tif 000014
【０１３３】
ここで、はＵＬ ＢＷＰ内で開始する資源がされ、資源の割り当てタイプ１の資源ブロックの割り当て情報から計算されるものと同じであり、２つのfrequency hopの間でＲＢの内、周波数オフセットである。
【０１３４】
inter-slot frequency hoppingの場合、frequency hoppingは、各スロットから発生する。Slotｎμsの間、開始するＲＢは、次式（４）によって与えられる。
【０１３５】
【数４】
2021514581.tif 000015
【０１３６】
ここで、マルチ-slot ＰＵＳＣＨ伝送は発生することがあり、
ＲＢstartはＵＬ ＢＷＰ内に開始する資源であり、資源の割り当てタイプ１の資源ブロックの割り当て情報から計算されるものと同じであり、２つのfrequency hopの間でＲＢの内、周波数オフセットである。
【０１３７】
５Ｇシステムなど次世代の無線システムは、従来の無線システムより柔軟に、基地局が時間／周波数資源を端末に割り当てることができ、システム帯域幅に端末の周波数領域を制限しなく、端末に個別的の帯域幅の部分（Bandwidth Parｔ； ＢＷＰ）を割り当てることができる。
【０１３８】
このような状況において、端末が周波数多様性（frequency diversity）を獲得するために周波数跳躍（frequency hopping）を用いて、アップリンク伝送をするとき、資源の有用性（resource utilization）を維持しながら、周波数跳躍をするためには、さまざまなスケジューリングユニット（ scheduling unit）の追加的な考慮が必要である。
【０１３９】
本明細書において用いられる周波数跳躍は、周波数ホッピングと同じ意味で解釈されることができる。
【０１４０】
以下、本明細書は、次世代の無線システムで端末が多様なscheduling unitにアップリンク資源（uplinkresource）を割り当てて、一部の端末は、これを結合/リピート（aggregationrepetition）して用いる際、端末が資源を効果的にＴＤＭ（time division multiplexing）/ＦＤＭ（frequency divisionmultiplexing）して用いることができる周波数ホッピング方法を提供する。
【０１４１】
また、本明細書は、端末の周波数ホッピングにおいてＢＷＰ（bandwidth part）と問題が生じることがある部分の解決策を提案する。
【０１４２】
本明細書は、主に端末がＰＵＳＣＨ伝送の周波数ホッピング方法について扱っているが、本明細書の内容は、端末が、一般的に用いるdynamic grant ＰＵＳＣＨ伝送だけではなく、configured grantを使用したＰＵＳＣＨの伝送、semi-static/dynamic signalingにによるＰＵＣＣＨ伝送またはRandom access時のアップリンク伝送などの端末が無線通信システムで用いるアップリンク伝送全般に亘って適用することができる。
【０１４３】
次世代無線通信システムは、応用分野或いはトラフィック（traffic）の種類に応じて物理チャンネルを送受信するために用いられる基準時間単位が多様化することがある。
【０１４４】
前記基準時間は、特定の物理チャンネルをschedulingする基本単位で有り得、前記scheduling unitを構成するsymbolの個数及び/またはsubcarrier spacingなどによって、前記基準時間の単位が異なることがある。
【０１４５】
以下、説明の便宜のために、基準時間単位としてslotとnon-slotに基づいて注意深く見ることにする。
【０１４６】
前記slotは一例で、一般的なdata traffic（e.g. ｅＭＢＢ（enhanced mobile broadband））に用いられるスケジューリング（scheduling）の基本単位で有り得る。
【０１４７】
そして、前記non-slotはtime  domainでslotより時間区間が小さな単位で有り得、さらに特別な目的のtrafficまたは通信方式（e.g. ＵＲＬＬＣ（Ultra reliable and low latency communication）またはunlicensed bandまたはmillimeter waveなど）で用いるscheduling基本単位で有り得る。
【０１４８】
しかし、これは一例に過ぎず、ｅＭＢＢが前記non-slotに基づいて、物理チャンネルを送受信する場合、または、ＵＲＬＬＣや他の通信手法がslotに基づいて、物理チャンネルを送受信する場合にも、本明細書で提案する技術的思想の拡張が可能であるが自明である。
【０１４９】
１．Non-slotの周波数ホッピング（Frequency hopping for non-slot
【０１５０】
まず、non-slotの周波数ホッピング方法について注意深く見る。
【０１５１】
注意深く見たようにＮｅｗ ＲＡＴ（ＮＲ）で、端末は、さまざまな伝送持続期間（transmission duration）を用いることができる。
【０１５２】
基地局は、端末のためにさまざまな方法でslot内のsymbolを用いるようにschedulingをしてやれる。
【０１５３】
このようなスケジュールされた資源（scheduled resource）、特にuplink scheduled resourceに周波数ホッピングが適用される場合、どんな条件、どんな位置で前記周波数ホッピングが行われるかについて下記のような方法が考慮されることができる。
【０１５４】
（方法１−１）
【０１５５】
方法１−１は、スケジュールされた資源（scheduled resource）がＸ symbol以上のtransmission durationにのみ周波数ホッピングを適用する方法に関する。
【０１５６】
前記Ｘは、予め定められた値であるか、または基地局がhigher layer signaling或いはL1 signalingを通じて知らせる値で有り得る。
【０１５７】
小さな長さのscheduled resourceである場合、周波数ホッピングを介して得ることができるfrequency diversityより各ホッピングにチャネル推定（channel estimation）のために必要なＤＭＲＳが発生させるＲＳオーバーヘッドが性能にさらに大きく影響を与えることができる。
【０１５８】
ＤＭＲＳは、シンボル全体に均一に伝送されるので、同じように一つのＤＭＲＳシンボルが必要であっても、全体scheduled resourceのtransmission durationに基づいて、他の影響を有することができる。
【０１５９】
したがって方法１−１を用いることにより、別のsignalingオーバーヘッドなしで周波数ホッピングが効果的な場合にのみ、周波数ホッピングが適用されることができる。
【０１６０】
（方法１−２）
【０１６１】
方法１−２は、schedulingのstarting symbol、ending symbolまたはtransmission durationのいずれかのsymbolがNth symbolに基づいて以後に存在する場合に、全体transmission durationをhoppingすることに関するものである。
【０１６２】
前記Ｎは予め定められた値であるか、または、基地局がhigher layer signaling或いはL1 signalingを介して知らせる値で有り得る。
【０１６３】
（方法１−３）
【０１６４】
方法１−３はＤＭＲSで用いるsymbolに基づいて周波数ホッピングを適用するもので有り得る。
【０１６５】
一例として、Ｘ symbolのtransmission durationを用いる端末がＸ symbolの内２つ以上のsymbolを用いる場合にのみ、周波数跳躍を実行することがある。
【０１６６】
このとき、ＤＭＲＳで用いられるsymbolがＫ１ｔｈ symbol、Ｋ２ｔｈ symbol（Ｋ１> Ｋ２）の場合、Ｋ２ symbolで周波数ホッピングが行われることができる。
【０１６７】
もしＤＭＲＳで用いられるsymbolが２つのsymbolより多くの場合、Ｘ/２に最も近いＤＭＲＳ symbolで周波数跳躍が行われることができる。
【０１６８】
２. Non-slot結合／繰り返しの周波数ホッピング（Frequency hopping for non-slot aggregation／repetition）
【０１６９】
次世代無線通信システムは、端末が、信頼性（reliability）、またはサービスカバレッジ（service coverage）のために同じ伝送ブロックを決められただけ繰り返し伝送する方法を考慮している。
【０１７０】
このとき、資源獲得方法または資源割り当てサイズなどに応じて、このような繰り返し伝送が異なるように設定されることができる。
【０１７１】
さらに具体的に、どのような基準によってnon-slot scheduling、slot schedulingが分けられるとき、または、どのような条件により端末がscheduled resourceを結合／繰り返し（aggregation /repetition）する方法は変えることができる。
【０１７２】
前記のようにscheduled resourceの結合／繰り返し方法が変わる場合、端末が受信したnon-slotベースscheduled resourceが一つのslot内で繰り返し的に伝送されることもできる。端末が多数のnon-slotを連続的に伝送する場合は、周波数ホッピングを適用するために、次のような方法が考えられる。
【０１７３】
（方法２−１）
【０１７４】
方法２−１は、繰り返される各non-slot schedulingを一つのnon-slot schedulingとみなし、周波数ホッピングをそれぞれ適用する方法に関するものである。
【０１７５】
このとき、先で注意深く見たnon-slotの周波数ホッピング方法が各non-slot schedulingに適用されることができる。
【０１７６】
（方法２−２）
【０１７７】
方法２−２は、slot間周波数ホッピングと類似に、各non-slot schedulingに順次周波数ホッピングを適用する方法に関するものである。
【０１７８】
たとえば、non-slot schedulingがＫ回繰り返される場合、奇数番目のnon-slot schedulingには周波数ホッピングを適用せず、偶数番目のnon-slot schedulingにのみ周波数ホッピングを適用することができる。
【０１７９】
このように、繰り返されるnon-slot schedulingに周波数ホッピングが適用されるとき、繰り返された一部のnon-slot schedulingの使用が不可能になることがある。
【０１８０】
例えば、さらに優先順位の高い他の伝送によって伝送をしないようになるか、semi-static/dynamicＴＤＤoperation等により当該scheduled resourceがＤＬなどのtransmission directionに決定され、当該resourceを使用できなくなることがある。このとき、以下のような（方法２−３）と（方法２−４）が考慮されることができる。
【０１８１】
（方法２−３）
【０１８２】
方法２−３は、図７（ａ）のOption １のように伝送parameterの手順または反復回数（repetition count）に基づいて周波数ホッピングを実行する方法に関するものである。
【０１８３】
図７（ａ）を参考にすれば、non-slot schedulingが４回繰り返し伝送され、３番目のnon-slot schedulingのための資源がcanceled symbol７０１に該当する場合、前記３番目のnon-slot scheduling７０２には、伝送を延期せず、 該当伝送を実行しない。
【０１８４】
したがって、図７（ａ）のインデックス４に該当するsymbol７０３から順に４番目のnon-slot scheduling７０４の伝送が実行されることを知ることができる。
【０１８５】
（方法２−４）
【０１８６】
方法２−４は、図７（ｂ）のoption ２に示すようにtransmission occasionがすべて有効（valid）したときの周波数ホッピングを実行する方法に関するものである。言い換えると、cancelled symbolを除外してvalidしたsymbolにのみtransmission occasionが存在すると仮定して、このようなtransmission occasionにのみ順次周波数ホッピングを適用することができる。
【０１８７】
図７（ｂ）を参考にすれば、validなsymbolが３つ（インデックス１に該当するsymbol、インデックス２に該当するsymbol、インデックス４に該当するsymbol）であるため、non-slot schedulingは３回繰り返し伝送され、３番目のnon-slot schedulingのための資源がcanceled symbol７１０に当該するため、前記３番目のnon-slot scheduling７２０の伝送は、インデックス４に該当するsymbol７３０で発生することが分かる。
【０１８８】
図７は、本明細書で提案するノン−スロットスケジューリングを通じたアップリンク伝送の周波数ホッピング方法の一例を示した図である。
【０１８９】
図７で注意深く見たように、cancelled resource（７０１，７１０）は、端末ごとに互いに異なるように設定または発生することができる。
【０１９０】
したがって、基地局が互いに異なる端末に時間／周波数資源を効率的に割り当てるために、resource invalidを考慮せずに、周波数ホッピングを行うようにすることができる。
【０１９１】
前で注意深く見た方法は、基地局から割り当てられる時間／周波数資源がinvalidになった理由に基づいて異なるように適用されることがある。
【０１９２】
たとえば、cell-specific ＵＬ/ＤＬ configurationによるinvalid resourceが発生する場合には、先に注意深く見た（方法２−３）を適用し、そうでない場合には、（方法２−４）を適用することができる。
【０１９３】
３. ＢＷＰ範囲を超える周波数ホッピングオフセットのハンドリング方法（Handling of Frequency hopping offset exceeding ＢＷＰ range）
【０１９４】
次世代無線通信システムは、アップリンク周波数ホッピングのために半‐静的システムシグナリング（semi-static signaling）に設定された周波数ホッピングオフセットのセットと動的シグナリング（dynamic signaling）にアップリンク資源の割り当てと共に周波数ホッピングオフセットセットの内１つの元素（または要素）を指定する。
【０１９５】
先に注意深く見た、周波数ホッピングオフセットのセットは、semi-static signalingを介して伝達されるので、常に資源とＢＷＰ長、それと他の端末のスケジューリングをするかどうかを考慮した適切な値を使用しないことがある。
【０１９６】
適切でない値、特に、図８のようにＲＢ＿start番目の資源ブロック（resource block）でｎ個のresource blockを端末に割り当て周波数ホッピングオフセットでＲＢ_offsetを使用し、ＢＷＰで資源ブロックの数（number of resource block in ＢＷＰ）がＮ＿ＲＢであるとき、N_RB<RB_start + n + RB_offset <N_RB + nである場合、次の方法が考慮されることがある。
【０１９７】
図８は、本明細書で提案する半‐静的オフセットを有する週波数ホッピングの場合、アップリンク伝送方法の一例を示した図である。
【０１９８】
（方法３−１）
【０１９９】
周波数ホッピングされた資源がＢＷＰ領域を越える場合、端末は、当該資源（周波数ホッピングによってＢＷＰ領域を超える）の割り当てを無視することができる。または、この場合、端末が周波数ホッピングを使用せずにＵＬ伝送を行うことができる。
【０２００】
（方法３−２）
【０２０１】
【表１０】
2021514581.tif 000016
【０２０２】
この場合、端末は、連続しないアップリンク資源を用いることになる。
【０２０３】
このとき、端末がtransform precoding（e.g。、ＤＦＴ−ｓ−ＯＦＤＭ）を用いる場合、相対的にアップリンク伝送の性能は低下することがある。
【０２０４】
したがって、この場合、端末は、基地局の他のsignalingなしで自動的に、さらに性能が良い他のwaveform（例えば、ＣＰ−ＯＦＤＭ）に伝送するように定義または設定することができる。
【０２０５】
または、このような動作を適用するかどうか（ＢＷＰ領域を越える、資源の移動の有無によるＵＬ伝送）が現在端末が用いるwaveformに基づいて決定されることもできる。
【０２０６】
図９は、本明細書で提案する半‐静的オフセットを有する週波数ホッピングの場合、アップリンク伝送方法のまた異なる一例を示した図である。
【０２０７】
（方法３−３）
【０２０８】
方法３−３は、周波数ホッピングされた資源がＢＷＰ領域を越える場合、端末がＢＷＰ領域を越えた資源に対してrate-matchingあるいはpuncturingするもので有り得る。
【０２０９】
前記rate-matchingまたはpuncturingはdropで表現されることもある。
【０２１０】
（方法３−３−１）
【０２１１】
周波数ホッピングされた資源がＢＷＰ領域を越えて、端末がＢＷＰ領域を越えた資源に対してrate-matchingあるいはpuncturingする場合、資源を少なく使用しながらも、設定されたcoding rateを維持するためにＴＢＳ（Transport Block Size）が調整されることできる。
【０２１２】
この時、前記ＴＢＳの調整は、決定された元来の（original）ＴＢＳで一定割合のみを用いることであるが、あるいは、どんなoffsetを差し引いたものであるか、あるいは、ＴＢＳの決定段階で、前記rate-matchingあるいはpuncturingを考慮するもので有り得る。
【０２１３】
例えば、ＴＢＳを決定することに当たり、ＲＥ（resource element）、ＤＭＲＳ（demodulation reference signal）overheadなどのような、一部のＲＥをＴＢＳ決定の制限過程でＢＷＰ領域を越える資源の割合を考慮したり、ＢＷＰを超えた資源ブロック（resource block）の数をＫとするとき、（ｎ−Ｋ/２）resource blockを割り当てられたものと仮定して、ＴＢＳが決定することができる。
【０２１４】
この時、前記方法３−１乃至方法３−３の動作は、ＢＷＰ領域を越える資源のサイズがどのようなしきい値を越える場合にのみ適用されることができる。
【０２１５】
この時、前記しきい値の単位はbits、resource   blocksまたはresource elementsで有り得る。
【０２１６】
前記しきい値は、予め決められる値であるか、または、基地局のhigher layer signalingあるいはＬ１ signalingによって決められる値で有り得る。
【０２１７】
または、このような動作の適用可否が現在の端末が使用しているwaveformに基づいて決定されることもある。
【０２１８】
Ｍｓｇ３の周波数ホッピング
【０２１９】
次に、ＲＡＣＨ過程のＭｓｇ３（ＲＡＲに対して端末が伝送するＵＬ伝送）の周波数ホッピング方法について注意深く見る。
【０２２０】
簡略にＲＡＣＨプロセスについて注意深く見ると、（１）端末がＰＲＡＣＨ preamble（またはＭｓｇ１）を基地局に伝送する１段階 、（２）前記端末が前記ＰＲＡＣＨ preambleの応答（ＲＡＲ）（またはＭｓｇ２）を前記基地局から受信する２段階、（３）前記端末がＵＬ伝送（またはＭｓｇ３）を前記基地局に伝送する３段階、（４）前記端末が前記ＵＬ伝送に対する応答（Ｍｓｇ４）を受信する４段階 に大きく整理することができる。
【０２２１】
任意接続（random access）を行うとき、基地局のRandom access response（ＲＡＲ）に対する応答（前記の２段階）、Ｍｓｇ３を伝送（前記の３段階）する場合にもfrequency diversityを獲得するために周波数ホッピングが実行されることができる。
【０２２２】
もし端末がネットワーク（network）に初めて接続する過程（Initial（random）Access； ＩＡ）である場合、端末は、基地局から周波数ホッピングオフセットセットに関する情報を得られなかった状態であるので、任意あるいは予めきめられた周波数ホッピングオフセットセットを用いて周波数ホッピングを行うことができる。
【０２２３】
しかし、端末が既にＲＲＣ接続状態にある場合、例えば、アップリンク伝送に必要な資源を獲得するためにScheduling request（SR）の伝送代わり、任意の接続段階を実行する場合、端末は、基地局から周波数ホッピングオフセットをすでに割り当てられて受けたため、これを任意の接続でも活用することができる。
【０２２４】
したがって、端末が周波数ホッピングが適用された任意の接続をする場合、前記任意の接続の目的に応じて、あるいは任意の接続時の端末の接続状態に応じて、他の周波数ホッピングが行われることができる。この時、次の方法が考慮されることができる。
【０２２５】
（方法４−１）
【０２２６】
端末のＲＲＣ状態とＲＡＲ messageから伝達されたＲＮＴＩ（Radio Network Temporary Identifier）値とは無関係にＭｓｇ３は、常に予め決められた周波数ホッピングのオフセットまたは周波数ホッピングオフセットのセットを用いることができる。
【０２２７】
（方法４−２）
【０２２８】
端末のＲＲＣ状態がＲＲＣ＿ＣＯＮＮＥＣＴＥＤであり、ＲＡＲ messageから伝達されたＲＮＴＩ値が端末が事前に獲得したＣ−ＲＮＴＩ値と同一である場合、すなわち、端末の任意の接続を介して基地局が該当端末が既にＲＲＣ ＣＯＮＮＥＣＴＥＤであると事実を知っている状態である場合、端末は、事前にＲＲＣ signalingを介して割り当てられた周波数ホッピングオフセットのセットを用いて周波数ホッピングを適用したＭｓｇ３を基地局に伝送する。
【０２２９】
（方法４−３）
【０２３０】
端末が、ランダムアクセスを実行する任意の接続資源と関連付けられた（associated）ＲＡＣＨ configurationに周波数ホッピングオフセット値または周波数ホッピングオフセットのセットがparameterとして含めることができる。
【０２３１】
端末は、前記ＲＡＣＨ configurationに関連付けられた任意の接続資源を介して任意の接続を実行する場合、周波数ホッピングのためにＲＡＣＨ configurationに含まれた周波数ホッピングオフセットまたは周波数ホッピングオフセットのセットを用いることができる。
【０２３２】
もし前記ＲＡＣＨ configurationに該当parameterが含まれない場合、端末は、周波数ホッピングを実行しないか、または、予め定められた周波数ホッピングのオフセットまたは、周波数ホッピングオフセットのセットを用いることができる。
【０２３３】
図１０は、本明細書で提案する方法を実行するための端末の動作を示すフローチャートである。
【０２３４】
すなわち、図１０は、無線通信システムにおいて端末によって周波数ホッピングを介してアップリンク伝送を実行するための方法に関するものである。
【０２３５】
まず、端末は、ＵＬ（uplink）-ＤＬ（downlink）の設定（configuration）情報を基地局から受信する（Ｓ１０１０）。
【０２３６】
その後、前記端末は、前記ＵＬ−ＤＬ設定情報に基づいて、１つのスロット（slot）内で、少なくとも２回繰り返されるノン−スロット（non-slot）に上で各ノン−スロット別に周波数ホッピングを介してアップリンク伝送を実行する（Ｓ１０２０）。
【０２３７】
ここで、前記ノン−スロット（non-slot）は、前記１つのスロットより小さい時間区間を有するスケジューリング単位（scheduling unit）で有り得る。
【０２３８】
そして、前記ＵＬ−ＤＬ設定情報に基づいて前記少なくとも２回繰り返されるノン−スロットの内、特定のノン−スロットが利用可能でない場合、前記端末は、前記特定のノン−スロットに関する周波数ホッピングを次の繰り返されるノン−スロットに適用することができる。
【０２３９】
これと関連した具体的な説明は、図７（ｂ）を参照してすることにする。
【０２４０】
そして、前記ノン−スロットのスケジューリング単位は、前記スケジューリング単位に含まれるシンボルの数またはサブキャリア間隔（subcarrier spacing）の内、少なくとも一つに基づいて設定されることができる。
【０２４１】
また、前記ノン−スロットはＵＲＬＬＣ（ultra reliable and low latency communication）、非免許帯域（unlicensed band）またはミリ波（millimeter wave）のために用いることができる。
【０２４２】
また、前記ノン−スロットに関する周波数ホッピングによってアップリンク伝送のための資源がＢＷＰ（bandwidth part）に含まれない場合、前記ＢＷＰに含まれない資源は、所定ＲＢ（resource block）のオフセットだけ移動されるか、または、前記アップリンク伝送に使用されない。これと関連した、より具体的な内容は、図８及び図９を参照する。
【０２４３】
そして、前記ＢＷＰに含まれない資源の所定ＲＢ（resource block）のオフセットだけ移動は、前記アップリンク伝送のために設定された波形（waveform）の種類に応じて決定することができる。
【０２４４】
前記波形はＣＰ（cyclic prefix）-ＯＦＤＭ（orthogonal frequency division multiplexing）またはＤＦＴ−ｓ−ＯＦＤＭ（discrete Fourier transform spread ＯＦＤＭ）で有り得る。
【０２４５】
前記波形がＣＰ−ＯＦＤＭの場合、前記ＢＷＰに含まれない資源は、所定ＲＢ（resource block）のオフセットだけ移動することができる。
【０２４６】
図１１は、本明細書で提案する方法を実行するための基地局の動作を示すフローチャートである。
【０２４７】
まず、基地局は、ＵＬ（uplink）-ＤＬ（downlink）の設定（configuration）情報を端末に伝送する（Ｓ１１１０）。
【０２４８】
その後、前記基地局は、一つのスロット（slot）内で、少なくとも２回繰り返されるノン−スロット（non-slot）上で、前記端末からアップリンク伝送を受信する（Ｓ１１２０）。
【０２４９】
ここで、前記アップリンク伝送は、各ノン−スロット別に周波数ホッピングを介して行うことができる。
【０２５０】
ここで、前記ノン−スロット（non-slot）は、前記１つのスロットより小さい時間区間を有するスケジューリング単位（scheduling unit）で有り得る。
【０２５１】
もし前記少なくとも２回繰り返されるノン−スロットの内、特定のノン−スロットが利用可能でない場合、特定のノン−スロットに関する周波数ホッピングは、次に繰り返されるノン−スロットに適用することができる。
【０２５２】
これと関連した、具体的な説明は、図７（ｂ）を参照する。
【０２５３】
そして、前記ノン−スロットのスケジューリング単位は、前記スケジューリング単位に含まれるシンボルの数またはサブキャリア間隔（subcarrier spacing）の内、 少なくとも一つに基づいて設定されることができる。
【０２５４】
また、前記ノン−スロットはＵＲＬＬＣ（ultra reliable and low latency communication）、非免許帯域（unlicensed band）またはミリ波（millimeter wave）のために用いることができる。
【０２５５】
本発明が適用されることができる装置一般
【０２５６】
図１２は、本明細書において提案する方法が適用されることができる無線通信装置のブロック構成図を例示する。
【０２５７】
図１２を参照すると、無線通信システムは、基地局１２１０と、基地局エリア内に位置した複数の端末１２２０を含む。
【０２５８】
前記基地局と端末は、それぞれの無線デバイスで表現されることもできる。
【０２５９】
基地局は、プロセッサ（processor、１２１１）、メモリ（memory、１２１２）、及びＲＦモジュール〔radio frequency module、１２１３）を含む。前記ＲＦモジュールは、伝送機（transmitter）と受信機（receiver）を含むことができる。プロセッサ１２１１は、先の図１〜図１１で提案された機能、プロセス及び/または方法を実現する。無線インターフェースプロトコルの階層は、プロセッサによって実現されることができる。メモリは、プロセッサと接続されて、プロセッサを駆動するための様々な情報を格納する。 ＲＦモジュールは、プロセッサと接続されて、無線信号を伝送及び/または受信する。
【０２６０】
端末は、プロセッサ１２２１、メモリ１２２２及びＲＦモジュール１２２３を含む。
【０２６１】
プロセッサは、先に図１〜図１１で提案された機能、プロセス及び/または方法を実現する。無線インターフェースプロトコルの階層は、プロセッサによって実現されることができる。メモリは、プロセッサと接続されて、プロセッサを駆動するための様々な情報を格納する。 ＲＦモジュールは、プロセッサと接続されて、無線信号を伝送及び/または受信する。
【０２６２】
メモリ（１２１２、１２２２）は、プロセッサ（１２１１、１２２１）の内部または外部に有り得、よく知られた様々な手段でプロセッサと接続することができる。
【０２６３】
また、基地局及び/または端末は、一本のアンテナ（single antenna）、または多重のアンテナ（multiple antenna）を有することができる。
【０２６４】
アンテナ（１２１４、１２２４）は、無線信号を伝送及び受信する機能をする。
【０２６５】
図１３は、本明細書で提案する方法が適用されることができる無線通信装置のブロック構成図のまた異なる例示である。
【０２６６】
図１３を参照すると、無線通信システムは、基地局１３１０と、基地局エリア内に位置した複数の端末１３２０を含む。基地局は、伝送装置で、端末は、受信装置で表現されることができ、その逆も可能である。基地局と端末は、プロセッサ（processor、１３１１,１３２１）、メモリ（memory、１３１４,１３２４）、１つ以上のＴｘ/Ｒｘ ＲＦモジュール（radio frequency module、１３１５,１３２５）、Ｔｘプロセッサ（１３１２,１３２２）、ＲＸプロセッサ（１３１３,１３２３）、アンテナ（１３１６,１３２６）を含む。プロセッサは、先注意深く見た機能、プロセス及び/または方法を実現する。より具体的に、ＤＬ（基地局から端末への通信）で、コアネットワークからの上位層パケットは、プロセッサ１３１１に提供される。プロセッサは、Ｌ２層の機能を実現する。ＤＬにおいて、プロセッサは論理チャネルと伝送チャネル間の多重化（multiplexing）、無線資源の割り当てを端末１３２０に提供し、端末でのシグナリングを担当する。伝送（ＴＸ）プロセッサ１３１２は、Ｌ１層（つまり、物理層）の様々な信号処理機能を実現する。信号処理機能は、端末からＦＥＣ（forward error correction）を容易にし、コーディング、及びインタリーブ（coding and interleaving）を含む。符号化及び変調されたシンボルは、並列ストリームに分割され、それぞれのストリームは、ＯＦＤＭサブキャリアにマッピングされ、時間及び/または周波数領域で基準信号（Reference Signal、ＲＳ）と多重化され、ＩＦＦＴ（Inverse Fast Fourier Transform）を用いて一緒に結合されて、時間領域ＯＦＤＭＡシンボルストリームを運搬する物理的チャンネルを生成する。 ＯＦＤＭストリームは、多重空間ストリームを生成するために、空間的にフリーコーディングされる。それぞれの空間ストリームは、個々のＴｘ/Ｒｘモジュール（または送受信機、１３１５）を介して異なるアンテナ１３１６に提供されることができる。それぞれのＴｘ/Ｒｘモジュールは、伝送のために、それぞれの空間ストリームにＲＦ搬送波を変調することができる。端末において、それぞれのＴｘ/Ｒｘモジュール（または送受信機 、１３２５）は、各Ｔｘ/Ｒｘモジュールの各アンテナ１３２６を介して信号を受信する。それぞれのＴｘ/Ｒｘモジュールは、ＲＦキャリアに変調された情報を復元して、受信（ＲＸ）プロセッサ１３２３に提供する。 ＲＸプロセッサは、ｌａｙｅｒ１の様々な信号処理機能を実現する。 ＲＸプロセッサは端末に向かう任意の空間ストリームを復旧するための情報にスペースプロセシングを実行することができる。もし多数の空間ストリームが端末に向かう場合、多数のＲＸプロセッサによって、単一ＯＦＤＭＡシンボルストリームに結合することができる。 ＲＸプロセッサは、高速フーリエ変換（ＦＦＴ）を用いてＯＦＤＭＡシンボルストリームを時間領域から周波数領域に変換する。周波数領域信号は、ＯＦＤＭ信号の各々のサブキャリアの個々のＯＦＤＭＡシンボルストリームを含む。それぞれのサブキャリア上のシンボル及び基準信号は、基地局によって伝送された最も可能性のある信号配置点を決定することにより復元されて復調される。このような軟判定（soft decision）は、チャネル推定値に基礎することができる。軟判定は、物理チャネル上で、基地局に��って元来伝送されたデータと制御信号を復元するためにデコード及びデインタリーブされる。当該データと制御信号は、プロセッサ１３２１に提供される。
【０２６７】
ＵＬ（端末から基地局への通信）は、端末１３２０で受信機の機能に関連して記述されたものと同様の方法で、基地局１３１０で処理される。それぞれのＴｘ/Ｒｘモジュール１３２５は、それぞれのアンテナ１３２６を介して信号を受信する。それぞれのＴｘ/Ｒｘモジュールは、ＲＦ搬送波と情報をＲＸプロセッサ１３２３に提供する。プロセッサ１３２１は、プログラムコード及びデータを格納するメモリ１３２４と関連することができる。メモリは、コンピュータ読み取り可能媒体として称することができる。
【０２６８】
以上で説明した実施形態は、本発明の構成要素と特徴が所定の形態で結合されたものである。各構成要素または特徴は、別の明示的な言及がない限り選択的なものとして検討されるべきである。各構成要素または特徴は、他の構成要素や特徴と結合されない形態で実施されることができる。また、一部の構成要素及び/または特徴を結合して、本発明の実施形態を構成することも可能である。本発明の実施形態で説明される動作の順序は変更されることができる。どの実施形態の一部の構成や特徴は、他の実施形態に含まれることができ、または他の実施形態に対応する構成または特徴と交替されることができる。特許請求の範囲で明示的な引用関係がない請求項を結合して実施形態を構成したり、出願後の補正により新しい請求項として含めることができることは自明である。
【０２６９】
本発明に係る実施形態は、様々な手段、例えば、ハードウェア、ファームウェア（firmware）、ソフトウェアまたはそれらの組み合わせなどにより実現されることができる。ハードウェアによる実現の場合、本発明の一実施形態は、一つまたはそれ以上のＡＳＩＣｓ（application specific integrated circuits）、ＤＳＰｓ（digital signal processors）、ＤＳＰＤｓ（digital signal processing devices）、PLDs（programmable logic devices）、ＦＰＧＡｓ（ field programmable gate arrays）、プロセッサ、コントローラ、マイクロコントローラ、マイクロプロセッサなどにより実現されることができる。
【０２７０】
ファームウェアやソフトウェアによる実現の場合、本発明の一実施形態は、以上で説明した機能または動作を実行するモジュール、プロシージャ、関数などの形態で実現されることができる。ソフトウェアコードは、メモリに格納されてプロセッサによって駆動されることができる。前記メモリは、前記プロセッサの内部または外部に位置して、既に公知された多様な手段により、前記プロセッサとデータを送受信することができる。
【０２７１】
本発明は、本発明の必須の特徴を逸脱しない範囲で他の特定の形態で具体化されることができることは、通常の技術者にとって自明である。したがって、前述した詳細な説明は、すべての面で制限的に解釈してはならなく、例示的なもので考慮されるべきである。本発明の範囲は、添付された請求項の合理的解釈によって決定されるべきで、本発明の等価的範囲内でのすべての変更は、本発明の範囲に含まれる。
【産業上の利用可能性】
【０２７２】
本発明の無線通信システムでアップリンク伝送を実行するための方案は３ＧＰＰ ＬＴＥ/ＬＴＥ−Ａシステム、５Ｇシステム（Ｎｅｗ ＲＡＴシステム）に適用される例を中心に説明したが、他にも様々な無線通信システムに適用することが可能である。
【図１】
2021514581.tif 000017
【図２】
2021514581.tif 000018
【図３】
2021514581.tif 000019
【図４】
2021514581.tif 000020
【図５】
2021514581.tif 000021
【図６】
2021514581.tif 000022
【図７】
2021514581.tif 000023
【図８】
2021514581.tif 000024
【図９】
2021514581.tif 000025
【図１０】
2021514581.tif 000026
【図１１】
2021514581.tif 000027
【図１２】
2021514581.tif 000028
【図１３】
2021514581.tif 000029
【国際調査報告】
2021514581.tif 000030
2021514581.tif 000031
2021514581.tif 000032
2021514581.tif 000033